(57)【要約】【課題】表示画面から画像が消えることなく変倍操作を行うことができる表示装置、該表示装置を備える画像処理装置及び画像表示方法を提供する。【解決手段】表示部１２は、液晶表示パネルなどの表示画面１２１、表示画面１２１に表示する画像の移動、拡大又は縮小などの変倍処理を行う表示制御部１２２などを備える。操作部１３は、表示画面１２１に表示する画像の移動操作、拡大又は縮小の変倍操作、画像の回転操作を行うための操作ボタンを備える。表示制御部１２２は、予め定めた変倍基点から一の変倍基点を選択して変倍画像を表示する。変倍基点は、画像の四隅の端とすることができる。例えば、表示制御部１２２は、画像の端を変倍基点として選択して拡大処理を行い、拡大した画像を表示画面１２１に表示する。【選択図】図１
2011188288.tif 000002
【特許請求の範囲】
【請求項１】
表示画面と、該表示画面に表示した画像に対する移動操作及び拡大又は縮小の変倍操作を受け付ける操作部とを備える表示装置において、
画像の変倍基点を予め複数定めてあり、
画像を拡大又は縮小させた変倍画像を前記表示画面に表示させる場合、前記変倍基点から一の変倍基点を選択して変倍画像を表示する表示制御部を備えることを特徴とする表示装置。
【請求項２】
前記表示制御部は、
画像の四隅の端のいずれかを前記一の変倍基点として選択するように構成してあることを特徴とする請求項１に記載の表示装置。
【請求項３】
前記表示制御部は、
所定の優先順位に基づいて前記一の変倍基点を選択するように構成してあることを特徴とする請求項１又は請求項２に記載の表示装置。
【請求項４】
前記表示制御部は、
画像の四隅の端のうち前記表示画面に表示された端を前記一の変倍基点として選択するように構成してあることを特徴とする請求項１から請求項３までのいずれか１項に記載の表示装置。
【請求項５】
請求項１から請求項４までのいずれか１項に記載の表示装置と、該表示装置で表示する画像に対して画像処理を行う画像処理部とを備えることを特徴とする画像処理装置。
【請求項６】
表示画面と、該表示画面に表示した画像に対する移動操作及び拡大又は縮小の変倍操作を受け付ける操作部とを備える表示装置による画像表示方法おいて、
画像の変倍基点を予め複数定めておき、
画像を拡大又は縮小させた変倍画像を前記表示画面に表示させる場合、前記変倍基点から一の変倍基点を選択して変倍画像を表示することを特徴とする画像表示方法。
【発明の詳細な説明】
【技術分野】
【０００１】
本発明は、拡大又は縮小させた画像を表示する表示装置、該表示装置を備える画像処理装置及び画像表示方法に関する。
【背景技術】
【０００２】
ＭＦＰ（Multi Functional Peripheral :複合機）などの画像処理装置は、ファクシミリ機能、スキャナ機能、コピー機能及びプリンタ機能等を備える。複合機は、スキャナで読み取った画像、あるいはネットワーク上の画像記憶装置等から受信した画像に対して、印刷、ＦＡＸ送信又は電子メール送信などの画像処理を行う前に、表示画面にプレビュー表示させて画像を確認することができる。また、プレビュー表示させた画像を表示画面上で移動させるスクロール操作、画像を拡大又は縮小させる変倍操作などの機能を備えることにより、ユーザの利便性を向上させている。
【０００３】
例えば、レイアウトプログラムと画像処理プログラムとを有する画像処理装置であって、線画などの画像を拡大表示する際に、画面上の左下隅を基準点として画像サイズ、表示領域を決定して画像を拡大表示することができる画像処理装置が開示されている（特許文献１参照）。
【先行技術文献】
【特許文献】
【０００４】
【特許文献１】特開平９−２０４５４０号公報
【発明の概要】
【発明が解決しようとする課題】
【０００５】
特許文献１の画像処理装置では、画像を拡大して表示させる場合、画像の左下端が拡大処理の基点となっている。このように、従来、画像を拡大又は縮小させて表示画面に表示させる場合、拡大又は縮小などの変倍処理の基点を画像の端に固定していた。
【０００６】
図８は従来の変倍処理の一例を示す模式図である。図８は表示装置又は画像処理装置に設けられた表示画面に画像が表示された状態を示し、画像の移動（スクロール）操作及び縮小操作が行われた場合の表示状態の変化を示す。画像の移動操作前の状態では、画像を完全に表示させることができる。次に、画像を左上の方向へスクロール（移動）する操作を行った場合、画像の一部が表示され、残りの部分は表示画面から消える。この状態において、ユーザが縮小操作を行った場合、変倍処理の基点が画像の左上端であるときは、画像が表示画面から消えてしまうという事態が生じる。
【０００７】
上述のように、表示画面に表示させた画像の拡大又は縮小等の変倍処理を行う際に変倍基点を固定した場合には、画像のスクロール操作又は変倍操作を行う途中で画像が表示画面から消えてしまい、ユーザに不便を与える問題があった。また、画像が表示画面から消えないようにするためには、変倍率の制限、あるいは移動位置の制限などを設ける必要があるためユーザに対する利便性を損なうという問題もあった。
【０００８】
本発明は、斯かる事情に鑑みてなされたものであり、表示画面から画像が消えることなく変倍操作を行うことができる表示装置、該表示装置を備える画像処理装置及び画像表示方法を提供することを目的とする。
【課題を解決するための手段】
【０００９】
第１発明に係る表示装置は、表示画面と、該表示画面に表示した画像に対する移動操作及び拡大又は縮小の変倍操作を受け付ける操作部とを備える表示装置において、画像の変倍基点を予め複数定めてあり、画像を拡大又は縮小させた変倍画像を前記表示画面に表示させる場合、前記変倍基点から一の変倍基点を選択して変倍画像を表示する表示制御部を備えることを特徴とする。
【００１０】
本発明にあっては、画像の変倍基点を予め複数定めてあり、画像を拡大又は縮小させた変倍画像を表示画面に表示させる場合、予め定めた変倍基点から一の変倍基点を選択して変倍画像を表示する。変倍基点を固定とせず、複数の変倍基点の中から一の変倍基点を選択するので、画像の変倍基点が表示画面の表示可能領域外にあるときでも、画像の他の変倍基点を選択することができ、表示画面から画像が消えることなく変倍操作を行うことができる。また、変倍率の制限を設ける必要がなく、また移動位置の制限は大幅に軽減することができる。
【００１１】
第２発明に係る表示装置は、第１発明において、前記表示制御部は、画像の四隅の端のいずれかを前記一の変倍基点として選択するように構成してあることを特徴とする。
【００１２】
本発明にあっては、画像の四隅の端のいずれかを一の変倍基点として選択する。これにより、画像を表示画面上で移動させることにより、画像の四隅の端のいずれかが表示画面の表示可能領域外にあるときでも、表示可能領域内にある端を変倍基点として選択することができ、表示画面から画像が消えることなく変倍操作を行うことができる。また、変倍率の制限を設ける必要がなく、また移動位置の制限は大幅に軽減することができる。
【００１３】
第３発明に係る表示装置は、第１発明又は第２発明において、前記表示制御部は、所定の優先順位に基づいて前記一の変倍基点を選択するように構成してあることを特徴とする。
【００１４】
本発明にあっては、所定の優先順位に基づいて一の変倍基点を選択する。例えば、画像の左上端、右上端、右下端、左下端の順に優先順位を定めることができる。これにより、変倍基点が固定的になることなく、優先順位に従って画像の端を選択し、変倍基点を変更することができるので、表示画面から画像が消えることなく変倍操作を行うことができる。また、変倍率の制限を設ける必要がなく、また移動位置の制限は大幅に軽減することができる。
【００１５】
第４発明に係る表示装置は、第１発明から第３発明までのいずれか１つにおいて、前記表示制御部は、画像の四隅の端のうち前記表示画面に表示された端を前記一の変倍基点として選択するように構成してあることを特徴とする。
【００１６】
本発明にあっては、画像の四隅の端のうち表示画面に表示された端を一の変倍基点として選択する。表示画面に表示された画像の端を変倍基点として選択するので、画像の変倍操作（特に、縮小操作）を行った場合でも、画像が表示可能領域から消えることはない。また、変倍率の制限を設ける必要がなく、また移動位置の制限は大幅に軽減することができる。
【００１７】
第５発明に係る画像処理装置は、第１発明から第４発明までのいずれか１つに係る表示装置と、該表示装置で表示する画像に対して画像処理を行う画像処理部とを備えることを特徴とする。
【００１８】
本発明にあっては、表示画面から画像が消えることなく変倍操作を行うことができる画像処理装置を実現することができる。また、変倍率の制限を設ける必要がなく、また移動位置の制限は大幅に軽減することができる。
【００１９】
第６発明に係る画像表示方法は、表示画面と、該表示画面に表示した画像に対する移動操作及び拡大又は縮小の変倍操作を受け付ける操作部とを備える表示装置による画像表示方法おいて、画像の変倍基点を予め複数定めておき、画像を拡大又は縮小させた変倍画像を前記表示画面に表示させる場合、前記変倍基点から一の変倍基点を選択して変倍画像を表示することを特徴とする。
【００２０】
本発明にあっては、画像の変倍基点を予め複数定めておき、画像を拡大又は縮小させた変倍画像を表示画面に表示させる場合、予め定めた変倍基点から一の変倍基点を選択して変倍画像を表示する。変倍基点を固定とせず、複数の変倍基点の中から一の変倍基点を選択するので、画像の変倍基点が表示画面の表示可能領域外にあるときでも、画像の他の変倍基点を選択することができ、表示画面から画像が消えることなく変倍操作を行うことができる。また、変倍率の制限を設ける必要がなく、また移動位置の制限は大幅に軽減することができる。
【発明の効果】
【００２１】
本発明によれば、変倍基点を固定とせず、複数の変倍基点の中から一の変倍基点を選択するので、画像の変倍基点が表示画面の表示可能領域外にあるときでも、画像の他の変倍基点を選択することができ、表示画面から画像が消えることなく変倍操作を行うことができる。また、変倍率の制限を設ける必要がなく、また移動位置の制限は大幅に軽減することができる。
【図面の簡単な説明】
【００２２】
【図１】本実施の形態の表示装置を備える画像処理装置の一例としての複合機の構成例を示すブロック図である。
【図２】本実施の形態の表示装置の外観の一例を示す模式図である。
【図３】本実施の形態の表示装置による変倍処理の一例を示す説明図である。
【図４】本実施の形態の表示装置による変倍処理の他の例を示す説明図である。
【図５】本実施の形態の表示装置による変倍処理の他の例を示す説明図である。
【図６】本実施の形態の表示装置による変倍処理の他の例を示す説明図である。
【図７】本実施の形態の表示装置による処理手順を示すフローチャートである。
【図８】従来の変倍処理の一例を示す模式図である。
【発明を実施するための形態】
【００２３】
以下、本発明に係る表示装置、該表示装置を備える画像処理装置及び画像処理方法の実施の形態を示す図面に基づいて説明する。図１は本実施の形態の表示装置を備える画像処理装置の一例としての複合機１００の構成例を示すブロック図である。複合機１００は、社内ＬＡＮ（Local Area Network）などの内部ネットワーク２０１、公衆電話回線網又はインターネットなどの外部ネットワーク２０２等に接続されている。
【００２４】
複合機１００は、外部ネットワーク２０２を介してデータの送受信を行うファクシミリ機能、原稿を読取って画像データを取得するスキャナ機能、原稿の複写を行うコピー機能、及び内部ネットワーク２０１を介して与えられた画像データを印刷用紙などの記録媒体に記録するプリンタ機能等を備える。
【００２５】
複合機１００は、主制御部１１、表示部１２、操作部１３、読取部１４、記録部１５、コーデック１６、変換部１７、モデム１８、ＮＣＵ（Network Control Unit）１９、インタフェース部２０、画像メモリ２１、ＲＯＭ２２、ＲＡＭ２３及び記憶部２４などを備える。複合機１００内の各部は、内部バス２９に接続され、ＣＰＵなどの主制御部１１によって制御される。
【００２６】
表示部１２は、液晶表示パネルなどの表示画面１２１、表示画面１２１に表示する画像の移動、拡大又は縮小などの変倍処理を行う表示制御部１２２などを備える。なお、表示制御部１２２の詳細は後述する。また、表示部１２は、主制御部１１の制御によって、複合機１００の動作状態の表示などを行う。なお、複合機１００の動作状態の表示は、表示部１２とは別の表示部に表示させることもできる。
【００２７】
操作部１３は、複合機１００に対する操作入力を受付ける装置であり、スタートキー、ストップキー、テンキー、短縮ダイヤルキー及びファンクションキー等の各種キーを備える。また、操作部１３は、表示画面１２１に表示する画像の移動（スクロール）操作、拡大又は縮小の変倍操作、画像の回転操作を行うための操作ボタンを備える。
【００２８】
本実施の形態に係る表示装置３０は、表示部１２（表示画面１２１、表示制御部１２２）及び操作部１３の一部を備える。また、本実施の形態の複合機１００は、表示装置３０を備える。
【００２９】
図２は本実施の形態の表示装置３０の外観の一例を示す模式図である。表示装置３０は、表示画面１２１、表示制御部１２２、操作部としての各種操作ボタンを備える。操作ボタンとしては、表示画面１２１上で画像の左側を表示（画像を右方向へ移動）させるための左ボタン１３１、画像の右側を表示（画像を左方向へ移動）させるための右ボタン１３２、画像の上側を表示（画像を下方向へ移動）させるための上ボタン１３３、画像の下側を表示（画像を上方向へ移動）させるための下ボタン１３４、画像を拡大するための拡大ボタン１３５、画像を縮小するための縮小ボタン１３６、画像を回転させるための回転ボタン１３７などを備える。なお、図２に例示した操作ボタンは、一例であって、これに限定されるものではない。操作ボタンの配置は適宜変更することができる。また、表示画面１２１にタッチパネル方式のものを採用して、表示画面１２１上で操作を行うようにすることもできる。
【００３０】
読取部１４は、例えば、ＣＣＤ（Charge Coupled Device）を備えたイメージスキャナであり、原稿を読み取って画像データを出力する。
【００３１】
記録部１５は、電子写真方式のプリンタであり、画像メモリ２１に記憶された画像データに所定の画像処理を施して画像を記録紙に記録する。
【００３２】
コーデック１６は、ファクシミリ送信する画像データの符号化及びファクシミリ受信した画像データの復号などの符号化及び復号を行う。
【００３３】
変換部１７は、ファクシミリ送信を行う画像データ形式から電子メール形式への変換及び電子メール形式からファクシミリ受信する画像データ形式への変換などのデータ変換を行う。
【００３４】
モデム１８は、ファクシミリ通信が可能なファックスモデムであり、内部バス２９及びＮＣＵ１９に接続されている。
【００３５】
ＮＣＵ１９は、外部ネットワーク２０２に接続されており、必要に応じてモデム１８を外部ネットワーク２０２に接続し、外部ネットワーク２０２に接続された外部通信装置（不図示）との間でファクシミリ通信などのデータ送受信を行う。
【００３６】
インタフェース部２０は、複合機１００を内部ネットワーク２０１に接続するため機能を備え、内部ネットワーク２０１に接続されたサーバ（不図示）との間で画像データなどのデータ送受信を行う。
【００３７】
画像メモリ２１は、ＤＲＡＭ等で構成され、読取部１４が読み取った原稿の画像データを記憶する。また、画像メモリ２１は、内部ネットワーク２０１を介してインタフェース部２０で受信した画像データ、又は外部ネットワーク２０２を介してＮＣＵ１９で受信した画像データを記憶する。また、画像メモリ２１に記憶された画像データを、インタフェース部２０又はＮＣＵ１９から送信することも可能である。
【００３８】
ＲＯＭ２２は、主制御部１１が実行する種々のプログラム及びデータなどを格納している。
【００３９】
主制御部１１は、ＲＯＭ２２に格納されたプログラムを実行して複合機１００の各部の制御を行う。
【００４０】
ＲＡＭ２３は、ＳＲＡＭ又はフラッシュメモリ等で構成され、主制御部１１がプログラムを実行する際に使用する一時的なデータ又は各種設定データ等を記憶する。ＲＡＭ２３をフラッシュメモリで構成した場合、複合機１００の各種設定データなどを電源切断時も保持することができる。
【００４１】
記憶部２４は、読取部１４で読み取った画像データ又はファクシミリ受信した画像データなどを記憶する。例えば、画像メモリ２１に記憶された画像データは、主制御部１１の制御によって、記憶部２４に記憶される。記憶部２４として、フラッシュメモリ又はハードディスク装置を用いることが可能である。
【００４２】
次に、表示制御部１２２の動作について説明する。図３は本実施の形態の表示装置３０による変倍処理の一例を示す説明図である。図３は表示画面１２１に画像５０が表示されている状態を示し、拡大操作を行う前後の表示状態を示す。拡大操作を行う前の状態では、表示画面１２１に画像５０の全体が表示されている。拡大操作を行う前の状態では、画像５０の四隅の端５０１、５０２、５０３、５０４は、表示画面（表示可能領域）１２１内に存在し、表示画面１２１で見ることができる。
【００４３】
ユーザが拡大ボタン１３５を操作して画像５０を拡大させた場合、表示制御部１２２は、予め定めた変倍基点から一の変倍基点を選択して変倍画像を表示する。変倍基点は、画像５０の四隅の端５０１、５０２、５０３、５０４とすることができる。図３の例では、画像５０の端５０１を変倍基点として選択して拡大処理を行い、拡大した画像（変倍画像）を表示画面１２１に表示する。
【００４４】
図３の例の場合、画像５０の四隅の端５０１、５０２、５０３、５０４のうち、いずれの端を変倍基点として選択するかは、例えば、予め定めた優先順位に従って行うことができる。図３の例では、画像５０の四隅の端５０１、５０２、５０３、５０４の順序で優先順位を決めておくことにより、端５０１が変倍基点として選択される。なお、優先順位の決め方は、これに限定されるものではない。
【００４５】
図４は本実施の形態の表示装置３０による変倍処理の他の例を示す説明図である。図４も表示画面１２１に画像５０が表示されている状態を示し、拡大操作を行う前後の表示状態を示す。拡大操作を行う前の状態では、表示画面１２１に画像５０の左下部分が拡大されて表示され、画像５０の四隅のうち端５０４のみが表示画面（表示可能領域）１２１内に存在し、表示画面１２１で見ることができる。
【００４６】
ユーザが拡大ボタン１３５を操作して画像５０を拡大させた場合、表示制御部１２２は、予め定めた変倍基点から一の変倍基点を選択して変倍画像を表示する。変倍基点は、画像５０の四隅の端５０１、５０２、５０３、５０４とすることができる。そして、図４の例では、予め定めた変倍基点のうち、表示画面（表示可能領域）１２１内に存在する、すなわち、ユーザが見ることができる画像の端５０４を変倍基点として選択して拡大処理を行い、拡大した画像（変倍画像）を表示画面１２１に表示する。
【００４７】
図４の例の場合、画像５０の四隅の端５０１、５０２、５０３、５０４のうち、いずれの端を変倍基点として選択するかは、表示画面（表示可能領域）１２１に存在する、すなわち、ユーザが視認することができる画像の端を優先的に選択する。
【００４８】
図５は本実施の形態の表示装置３０による変倍処理の他の例を示す説明図である。図５も表示画面１２１に画像５０が表示されている状態を示し、拡大操作を行う前後の表示状態を示す。拡大操作を行う前の状態では、表示画面１２１に画像５０の下側が表示され、画像５０の四隅のうち端５０３、５０４が表示画面（表示可能領域）１２１内に存在し、表示画面１２１で見ることができる。
【００４９】
ユーザが拡大ボタン１３５を操作して画像５０を拡大させた場合、表示制御部１２２は、予め定めた変倍基点から一の変倍基点を選択して変倍画像を表示する。変倍基点は、画像５０の四隅の端５０１、５０２、５０３、５０４とすることができる。そして、図５の例では、予め定めた変倍基点のうち、表示画面（表示可能領域）１２１内に存在する、すなわち、ユーザが見ることができる画像の端５０３、５０４を変倍基点として選択する。表示制御部１２２は、選択した端が複数存在するので、一の変倍基点を予め定めた優先順位により選択する。例えば、画像５０の四隅の端５０１、５０２、５０３、５０４の順序で優先順位を決めておく。表示制御部１２２は、端５０３、５０４のうち予め定めた優先順位の高い端５０３を変倍基点として最終的に選択して拡大処理を行い、拡大した画像（変倍画像）を表示画面１２１に表示する。
【００５０】
図６は本実施の形態の表示装置３０による変倍処理の他の例を示す説明図である。図６は表示画面１２１に画像５０が表示されている状態を示し、縮小操作を行う前後の表示状態を示す。縮小操作を行う前の状態では、表示画面１２１に画像５０の右下部分が表示され、画像５０の四隅のうち端５０３のみが表示画面（表示可能領域）１２１内に存在し、表示画面１２１で見ることができる。
【００５１】
ユーザが縮小ボタン１３６を操作して画像５０を縮小させた場合、表示制御部１２２は、予め定めた変倍基点から一の変倍基点を選択して変倍画像を表示する。変倍基点は、画像５０の四隅の端５０１、５０２、５０３、５０４とすることができる。そして、図６の例では、予め定めた変倍基点のうち、表示画面（表示可能領域）１２１内に存在する、すなわち、ユーザが見ることができる画像の端５０３を変倍基点として選択して縮小処理を行い、縮小した画像（変倍画像）を表示画面１２１に表示する。
【００５２】
なお、図６の例において、仮に変倍基点が画像５０の端５０１に固定されている場合、縮小操作を行っても画像５０が表示画面１２１から消えないようにするためには、縮小時の変倍率に制限を加える必要がある。また、表示画面１２１に表示する際に画像５０の一部が必ず見えるようにするため画像５０の移動位置（スクロール位置）を制限する必要がある。しかし、本実施の形態では、また、変倍率の制限を設ける必要がなく、また移動位置の制限は大幅に軽減することができる。
【００５３】
上述のように、本実施の形態では、画像の変倍基点を予め複数定めてあり、画像を拡大又は縮小させた変倍画像を表示画面１２１に表示させる場合、表示制御部１２２は、予め定めた変倍基点から一の変倍基点を選択して変倍画像を表示する。変倍基点を固定とせず、複数の変倍基点の中から一の変倍基点を選択するので、画像の変倍基点が表示画面（表示可能領域）１２１外にあるときでも、画像の他の変倍基点を選択することができ、表示画面１２１から画像が消えることなく変倍操作を行うことができる。また、変倍率の制限を設ける必要がなく、また移動位置の制限は大幅に軽減することができる。
【００５４】
また、本実施の形態では、表示制御部１２２は、画像の四隅の端のいずれかを一の変倍基点として選択する。これにより、画像を表示画面１２１上で移動させることにより、画像の四隅の端のいずれかが表示画面（表示可能領域）１２１外にあるときでも、表示可能領域内にある端を変倍基点として選択することができ、表示画面１２１から画像が消えることなく変倍操作を行うことができる。
【００５５】
また、本実施の形態では、表示制御部１２２は、所定の優先順位に基づいて一の変倍基点を選択する。例えば、画像の左上端、右上端、右下端、左下端の順に優先順位を定めることができる。これにより、変倍基点が固定的になることなく、優先順位に従って画像の端を選択し、変倍基点を変更することができるので、表示画面１２１から画像が消えることなく変倍操作を行うことができる。
【００５６】
また、本実施の形態では、表示制御部１２２は、画像の四隅の端のうち表示画面１２１に表示された端を一の変倍基点として選択する。表示画面１２１に表示された画像の端を変倍基点として選択するので、画像の変倍操作（特に、縮小操作）を行った場合でも、画像が表示画面１２１から消えることはない。
【００５７】
また、本実施の形態では、表示画面１２１から画像が消えることなく変倍操作を行うことができるとともに、また、変倍率の制限を設ける必要がなく、また移動位置の制限は大幅に軽減することができる画像処理装置（例えば、複合機１００）を実現することができる。なお、複合機１００が行う画像処理は、表示画面１２１に表示されたプレビュー用の画像自身ではなく、プレビュー用の画像を生成する元の画像に対して行われる。
【００５８】
図７は本実施の形態の表示装置３０による処理手順を示すフローチャートである。表示制御部１２２は、画像の拡大又は縮小の操作の有無を判定し（Ｓ１１）、操作がない場合（Ｓ１１でＮＯ）、ステップＳ１１の処理を続ける。画像の拡大又は縮小の操作があった場合（Ｓ１１でＹＥＳ）、表示制御部１２２は、表示可能領域（表示画面１２１）内に画像の左上端があるか否かを判定する（Ｓ１２）。
【００５９】
表示可能領域内に画像の左上端がある場合（Ｓ１２でＹＥＳ）、制御部１２２は、画像の左上端を変倍基点として選択する（Ｓ１３）。表示可能領域内に画像の左上端がない場合（Ｓ１２でＮＯ）、制御部１２２は、表示可能領域内に画像の右上端があるか否かを判定する（Ｓ１４）。
【００６０】
表示可能領域内に画像の右上端がある場合（Ｓ１４でＹＥＳ）、制御部１２２は、画像の右上端を変倍基点として選択する（Ｓ１５）。表示可能領域内に画像の右上端がない場合（Ｓ１４でＮＯ）、制御部１２２は、表示可能領域内に画像の右下端があるか否かを判定する（Ｓ１６）。
【００６１】
表示可能領域内に画像の右下端がある場合（Ｓ１６でＹＥＳ）、制御部１２２は、画像の右下端を変倍基点として選択する（Ｓ１７）。表示可能領域内に画像の右下端がない場合（Ｓ１６でＮＯ）、制御部１２２は、制御部１２２は、画像の左下端を変倍基点として選択する（Ｓ１８）。
【００６２】
表示制御部１２２は、選択した変倍基点で画像を拡大又は縮小し（Ｓ１９）、拡大又は縮小した画像を表示画面１２１に表示する（Ｓ２０）。表示制御部１２２は、処理を終了するか否かを判定し（Ｓ２１）、処理を終了しない場合（Ｓ２１でＮＯ）、ステップＳ１１以降の処理を続け、処理を終了する場合（Ｓ２１でＹＥＳ）、上述の処理手順を終了する。
【００６３】
図７に例示する処理手順は、一例であって、処理手順を図７の例に限定されるものではない。
【符号の説明】
【００６４】
１２  表示部
１２１  表示画面
１２２  表示制御部
１３  操作部
【図１】
2011188288.tif 000003
【図２】
2011188288.tif 000004
【図３】
2011188288.tif 000005
【図４】
2011188288.tif 000006
【図５】
2011188288.tif 000007
【図６】
2011188288.tif 000008
【図７】
2011188288.tif 000009
【図８】
2011188288.tif 000010